(57)【要約】【課題】  携帯情報処理装置の防水性、耐環境性を、より少ない構成で向上させた携帯情報処理装置を提供する。【解決手段】  携帯情報処理装置の情報入力手段、情報表示手段の保持部を、導電性を有した弾性材料で形成する。また情報入力手段の保持部の断面を山形の形状に形成する。【選択図】  図４
2006235746.tif 000002
【特許請求の範囲】
【請求項１】
情報表示手段と、前記情報表示手段の上部に配設されるシート状の情報入力手段と、前記情報入力手段および前記情報表示手段を組入れる外装ケースとを有し、
前記外装ケースは、前記情報表示手段の表示画面に対応した情報表示開口を具備し、
前記情報入力手段および前記情報表示手段は、前記外装ケースの中に、前記情報表示開口部を介して前記表示画面を認識可能に組み込まれる携帯情報処理装置であって、
前記外装ケースと前記情報入力手段の間に、且つ、前記外装ケースの情報表示開口部全周にわたり、防水性および耐衝撃性を有する入力手段用クッションを備えることを特徴とする携帯情報処理装置。
【請求項２】
前記入力手段用クッションは、前記外装ケースおよび前記情報入力手段との接触部形状が少なくとも１条以上の山形断面形状を有し、且つ前記山形断面形状が、前記外装ケースの情報表示開口部全周にわたり連続した形状を有する、請求項１に記載の携帯情報処理装置。
【請求項３】
前記入力手段用クッションは、前記入力手段用クッションの前記外装ケースと接触部である山形断面形状の頂部が、前記入力手段用クッションの前記情報入力手段との被接触部である山形断面形状の溝部となる形状を有する、請求項３に記載の携帯情報処理装置。
【請求項４】
前記情報表示手段の縁部を包囲した表示手段用クッションをさらに有する、請求項１から３の何れかに記載の携帯情報処理装置。
【請求項５】
前記入力手段用クッションおよび前記表示手段用クッションは導電性を有し、前記情報表示手段に配された導電部を介してそれぞれ導通し、
前記表示手段用クッションは、前記携帯情報処理装置が有する制御基板に接地する請求項４に記載の携帯情報処理装置。
【請求項６】
前記入力手段用クッションおよび前記表示手段用クッションは柔軟性を有する請求項１から５に記載の携帯情報処理装置。
【請求項７】
情報表示手段と、前記情報表示手段の表示画面に対応した情報表示開口を具備し、前記情報表示手段を、前記情報表示開口部を介して前記表示画面を認識可能に組み込む外装ケースとを有する携帯情報処理装置であって、
前記外装ケースと前記情報表示手段の間に、且つ、前記外装ケースの情報表示開口部全周にわたり、防水性および耐衝撃性を有する表示手段用クッションを備えることを特徴とする携帯情報処理装置。
【請求項８】
前記入力手段用クッションは、前記外装ケースおよび前記情報表示手段との接触部形状が少なくとも１条以上の山形断面形状を有し、且つ前記山形断面形状が、前記外装ケースの情報表示開口部全周にわたり連続した形状を有する、請求項７に記載の携帯情報処理装置。
【請求項９】
前記表示手段用クッションは、前記表示手段用クッションの前記外装ケースと接触部である山形断面形状の頂部が、前記表示手段用クッションの前記情報表示手段との被接触部である山形断面形状の溝部となる形状を有する、請求項８に記載の携帯情報処理装置。
【請求項１０】
前記表示手段用クッションは導電性を有し、且つ、前記携帯情報処理装置が有する制御基板に接地する請求項９に記載の携帯情報処理装置。
【請求項１１】
前記表示手段用クッションは柔軟性を有する請求項７から１０に記載の携帯情報処理装置。
【発明の詳細な説明】
【技術分野】
【０００１】
本発明は、本体に情報入力手段あるいは情報表示手段を有するＰＤＡ（Ｐｅｒｓｏｎａｌ  Ｄｉｇｉｔａｌ  Ａｓｓｉｓｔａｎｔ）や注文データ管理装置等の携帯情報処理装置に関するものである。
【背景技術】
【０００２】
従来より、本体に情報入力手段あるいは情報表示手段を有する携帯情報処理装置、例えば、ＰＤＡや電子辞書、レストラン等で使用される注文入力装置等が知られている。
【０００３】
この種の携帯情報処理装置は、前記情報入力手段あるいは情報表示手段の操作性、視認性を損なわないように外装ケースに取り付けられている（例えば、特許文献１参照）。
【特許文献１】２００３−２２８７６８公報
【発明の開示】
【発明が解決しようとする課題】
【０００４】
特許文献１に記載の技術は、前記情報入力手段あるいは情報表示手段を外装ケースに取り付ける構造に関して、ＰＤＡ等は携行しながら使用する機会が多いため、誤って落下させたり振動が加わったりする可能性が大きい。
【０００５】
また、注文データ管理装置等は、飲食等を行う店舗内で使用するため、何らかの原因により、水や飲み物等の水分がかかる恐れがある。そのため、防水構造等が具備されている必要があった。
【０００６】
さらに、外装ケースに金属、または表面に金属メッキを施した場合、静電気等の外部ノイズによる装置の誤動作や破壊を防止するため、前記情報入力手段あるいは情報表示手段は前記外装ケースに電気的接触が保たれていなければならない。
【０００７】
本発明は、このような事情に考慮してなされたもので、その目的は耐衝撃性や防水性、耐ノイズ性等の耐環境性を向上させた携帯情報処理装置を提供することにある。
【課題を解決するための手段】
【０００８】
本発明は、前記課題を解決するため、下記のような携帯情報処理装置を提供する。
【０００９】
まず、情報表示手段と、その上部に配設されるシート状の情報入力手段と、情報入力手段および情報表示手段を組入れる外装ケースとを有し、この外装ケースは、情報表示手段の表示画面に対応した情報表示開口を具備し、情報入力手段および前記情報表示手段は、外装ケースの中に、情報表示開口部を介して表示画面を認識可能に組み込まれ、外装ケースと情報入力手段の間に、且つ、外装ケースの情報表示開口部全周にわたり、防水性および耐衝撃性を有する入力手段用クッションを備える携帯情報処理装置を提供する。
【００１０】
ここで入力手段用クッションは、外装ケースおよび情報入力手段との接触部形状が少なくとも１条以上の山形断面形状を有し、且つ山形断面形状が、外装ケースの情報表示開口部全周にわたり連続した形状を有するものとする。
【００１１】
また入力手段用クッションは、入力手段用クッションの外装ケースと接触部である山形断面形状の頂部が、入力手段用クッションの情報入力手段との被接触部である山形断面形状の溝部となる形状を有するものとする。
【００１２】
また入力手段用クッションは、柔軟性を有するものとする。
【００１３】
これにより入力手段用クッションは、外装ケースの接触面の平滑度変化に対して柔軟に追従するよう作用し、少ない接触圧力でも外装ケースおよび情報入力手段との気密性を確保することができる。
【００１４】
また本発明の携帯情報処理装置は、さらに情報表示手段の縁部を包囲した表示手段用クッションを有するものとする。
【００１５】
また入力手段用クッションおよび表示手段用クッションは導電性を有し、情報表示手段に配された導電部を介してそれぞれ導通し、表示手段用クッションは、前記情報処理装置が有する制御基板に接地するものとする。
【００１６】
これにより、他の部品を介することなく金属製あるいは金属メッキを施した外装ケースとの電気的接触を確保し、装置内にある制御基板に接地することが出来る。
【００１７】
また本発明は、シート状の情報入力手段を有さず、情報表示手段のみを有する場合にも対応可能であり、その場合、外装ケースと情報表示手段の間に、且つ、外装ケースの情報表示開口部全周にわたり、防水性および耐衝撃性を有する表示手段用クッションを備える携帯情報処理装置とする。
【００１８】
ここで表示手段用クッションは、外装ケースおよび情報表示手段との接触部形状が少なくとも１条以上の山形断面形状を有し、且つ山形断面形状が、外装ケースの情報表示開口部全周にわたり連続した形状を有するものとする。
【発明の効果】
【００１９】
本発明に係る携帯情報処理装置によれば、外装ケースと接するクッションを、山形断面形状とし、且つ山形断面形状が、外装ケースの情報表示開口部全周にわたり連続した形状とすることにより、外装ケースとの接触面の平滑度変化に対して柔軟に追従するよう作用し、少ない接触圧力でも外装ケースおよび情報入力手段との気密性を確保することができる。
【００２０】
また、情報入力手段あるいは情報表示手段を保持するクッションに導電性を有したゴム等の弾性材料を使用することで、他の部品を介することなく金属製あるいは金属メッキを施した外装ケースとの電気的接触を確保することができる。
【００２１】
また、ゴム等の弾性作用により防水性と衝撃吸収性を備えることが可能となる。
【発明を実施するための最良の形態】
【００２２】
以下、本発明の携帯情報処理装置の実施形態を、図面を参照しながら説明する。図１は、本発明の携帯情報処理装置の斜視図である。
【００２３】
この携帯情報処理装置は、情報入力手段１と、情報表示手段２と、外装ケース３と、内部に本図面には図示されない回路基板４と、電源となる電池パック５を有する。
【実施例１】
【００２４】
図２は本発明の実施例１の携帯情報処理装置の平面図である。横断面をＡ−Ａとしてその断面図を図３に表す。
【００２５】
図３は本発明の携帯情報処理装置の横断面（図２におけるＡ−Ａ断面）である。情報入力手段１と情報表示手段２は本図面には図示されないＴＰ（タッチパネル）クッション７、ＬＣＤクッション８を介してフレーム６に保持され、フレーム６は外装ケース３に取り付けられている。制御基板４はフレーム６に取り付けられ、図示されない制御ケーブルが情報入力手段１と情報表示手段２に接続されている。図中のＢ部詳細を図４に表す。
【００２６】
図４は本発明の携帯情報処理装置のクッション部詳細図（図３におけるＢ部）である。情報表示手段２は外周を覆うようにＬＣＤクッション８で保持され、フレーム６に係合支持されている。同様に情報入力手段１は外周をＴＰクッション７に保持され、同時にＬＣＤクッション８と係合するとともに位置決めされている。フレーム６は外装ケース３に取り付けられ、ＴＰクッション７の防水リブ７ａは外装ケース３の内面に密着し、同時に防水溝７ｂも情報入力手段１の表面に密着している。ＴＰクッション７とＬＣＤクッション８は導電性を有したゴムで形成されている。外装ケース３は金属性、あるいは表面に金属メッキを施した材質で形成されている。情報表示手段２の外周は金属で構成され、ＴＰクッション７とＬＣＤクッション８の導電作用により情報表示手段２と外装ケース３は電気的接触を成している。また、情報表示手段２の外周金属部は図示しない手段により制御基板４の接地パターンに接続されている。
【００２７】
ＴＰクッション７の防水リブ７ａ（山形断面形状の頂部に相当）と防水溝７ｂ（山形断面形状の溝部に相当）は対をなし、薄く形成されているので高い柔軟性を有し、外装ケース３の接触面の平滑度変化に対して柔軟に追従するよう作用するため、少ない接触圧力で気密性を確保することができる。また、それぞれ単独に外装ケース３の情報表示部開口窓に沿って連続形成することにより、第２、第３の気密壁が構成され、更に高い気密性を確保することを可能としている。このため情報表示部開口部に水等が溜まっても携帯情報処理装置内部に浸水する事はない。
【００２８】
図５は本発明の携帯情報処理装置のクッション部全体斜視図であり、装置内部の組込み状態を表している。
【００２９】
図６は本発明の携帯情報処理装置のクッション部全体の部品展開図であり、ＴＰクッション７、情報入力手段１、ＬＣＤクッション８、情報表示手段２、フレーム６それぞれの組込み位置関係を表している。
【００３０】
このように本発明によれば、クッション材料に導電性ゴムを採用することによって、従来の携帯情報処理装置に必要とされていた、板ばね等の導電部品を削除することが可能となり、組立作業性や保守性を改善することができる。
【００３１】
また、板ばね等の別部品により電気的導通性を確保した場合、設置するスペースや接触面積等の制約を受けやすく、接触抵抗を増大させる要因となって外部ノイズに対する信頼性の低下を招く可能性があるが、クッションが導電性を有しているため、前記制約を受けることなく電気的導通性を確保することができるので、信頼性の高い携帯情報処理装置の提供が可能となる。
【実施例２】
【００３２】
次に本発明の実施例２の携帯情報処理装置について説明する。
【００３３】
図７は携帯情報処理装置の平面図である。横断面をＡ−Ａとしてその断面図を図８に表す。
【００３４】
図８は本発明の携帯情報処理装置の横断面（図７におけるＡ−Ａ断面）である。情報入力手段１と情報表示手段２は本図面には図示されないＴＰクッション１０、ＬＣＤクッション１１を介してフレーム６に保持され、フレーム６は外装ケース３に取り付けられている。制御基板４はフレーム６に取り付けられ、図示されない制御ケーブルが情報入力手段１と情報表示手段２に接続されている。図中のＢ部詳細を図４に表す。
【００３５】
図９は本発明の携帯情報処理装置のクッション部詳細図（図８におけるＢ部）である。情報表示手段２は外周を覆うようにＬＣＤクッション１１で保持され、フレーム６に係合支持されている。同様に情報入力手段１は外周をＴＰクッション１０に保持され、同時にＬＣＤクッション１１と係合するとともに位置決めされている。フレーム６は外装ケース３に取り付けられ、ＴＰクッション１０の防水リブ１０ａ（山形断面形状の頂部に相当）は外装ケース３の内面に密着し、同時に防水溝１０ｂ（山形断面形状の溝部に相当）も情報入力手段１の表面に密着している。ＴＰクッション１０とＬＣＤクッション１１は弾力性を有したゴムで形成されている。外装ケース３は金属性、あるいは表面に金属メッキを施した材質で形成されている。情報表示手段２の外周は金属で構成され、板ばね９はＴＰクッション１０とＬＣＤクッション１１を挟むように取り付けられているので、ＴＰクッション１０とＬＣＤクッション１１が絶縁体であっても情報表示手段２と外装ケース３は板ばね９の導電作用により電気的接触を成している。また、情報表示手段２の外周金属部は図示しない手段により制御基板４の接地パターンに接続されている。ＴＰクッション１０の防水リブ１０ａと防水溝１０ｂは対をなし、薄く形成されているので高い柔軟性を有し、外装ケース３の接触面の平滑度変化に対して柔軟に追従するよう作用するため、少ない接触圧力で気密性を確保することができる。また、それぞれ単独に外装ケース３の情報表示部開口窓に沿って連続形成することにより、第２、第３の気密壁が構成され、更に高い気密性を確保することを可能としている。このため情報表示部開口部に水等が溜まっても携帯情報処理装置内部に浸水する事はない。
【００３６】
図１０は従来の携帯情報処理装置のクッション部全体の部品展開図であり、板ばね９、ＴＰクッション１０、情報入力手段１、ＬＣＤクッション１１、情報表示手段２、フレーム６それぞれの組込み位置関係を表している。
【００３７】
このように本発明によれば、板ばねを使用して外装ケースを情報表示手段との導通をとる場合にも、防水性や耐衝撃性のために山形断面形状のＴＰクッションを使用することが可能である。
【００３８】
尚、本発明の実施例１および２では、情報入力手段が情報表示手段の上部に配設された例を示したが、本発明はこれに限らない。例えば、図示しないが、情報入力手段が別の部分にあり、外装ケースの直下に情報表示手段がある場合、情報表示手段と外装ケースの間に、且つ外装ケースの情報表示開口部全周にわたり、上述したＴＰクッションと同様、防水性および耐衝撃性を有する山形断面形状のクッションを備えるようにしても良い。
【図面の簡単な説明】
【００３９】
【図１】本発明に係る携帯情報処理装置の斜視図である。
【図２】図１に示す携帯情報処理装置の平面図である。
【図３】図１に示す携帯情報処理装置の横断面図である。
【図４】図１に示す携帯情報処理装置のクッション部詳細図である。
【図５】図１に示す携帯情報処理装置のクッション部全体斜視図である。
【図６】図１に示す携帯情報処理装置のクッション部部品展開図である。
【図７】本発明に係る携帯情報処理装置の平面図である。
【図８】図７に示す携帯情報処理装置の横断面図である。
【図９】図７に示す携帯情報処理装置のクッション部詳細図である。
【図１０】図７に示す携帯情報処理装置のクッション部部品展開図である。
【符号の説明】
【００４０】
１  情報入力手段
２  情報表示手段
３  外装ケース
４  制御基板
５  電池パック
６  フレーム
７  ＴＰクッション
８  ＬＣＤクッション
９  板ばね
１０  ＴＰクッション
１１  ＬＣＤクッション
【図１】
2006235746.tif 000003
【図２】
2006235746.tif 000004
【図３】
2006235746.tif 000005
【図４】
2006235746.tif 000006
【図５】
2006235746.tif 000007
【図６】
2006235746.tif 000008
【図７】
2006235746.tif 000009
【図８】
2006235746.tif 000010
【図９】
2006235746.tif 000011
【図１０】
2006235746.tif 000012